(57)【特許請求の範囲】
【請求項１】
１回のシャッタレリーズによって１画面を複数に分割した各コマに時系列的な画像を予め定められた露光間隔で露光する連写カメラにおいて、
前記露光間隔を知る時に操作する外部操作部材と、撮影者に視覚又は聴覚を通じて表示する外部表示部材と、前記外部操作部材の操作に応答して前記露光間隔と同じ間隔で表示するように前記外部表示部材を制御する制御手段と、を備えたことを特徴とする連写カメラ。
【請求項２】
前記外部操作部材は、シャッタレリーズから最後のコマに露光を行うまでのトータルの連写時間を変更するための連写時間変更部材に兼用されており、前記制御手段は連写時間変更部材の操作が行われた時、又は操作後に前記外部表示部材の表示を開始することを特徴とする請求項１記載の連写カメラ。
【請求項３】
前記外部表示部材を視覚を通じて表示する外部表示部材とし、前記１画面を複数に分割したコマの数と同じ個数の表示エリアを前記外部表示部材に設け、前記制御手段は、前記露光間隔と同じ間隔で前記表示エリアを順に点灯又は点滅させるように前記外部表示部材を制御することを特徴とする請求項１又は２記載の連写カメラ。
【請求項４】
１回のシャッタレリーズによって１画面を複数に分割した各コマに時系列的な画像を予め定められた露光間隔で露光する連写撮影とシャッタレリーズ時の１画像を１コマに露光するワンショット撮影とを択一的に選択して撮影が行える連写カメラにおいて、
前記連写撮影の際の露光間隔を知る時に操作される外部操作部材と、
前記１画面を複数に分割したコマの数と同じ個数の表示部を設けた外部表示部材と、
前記ワンショット撮影時には前記複数の表示部のうちの前記ワンショット撮影を行った回数に応じた数の表示部を表示するよう制御するとともに、１画面を複数に分割した各コマのうちのワンショット撮影後に残る未露光のコマに対して連写撮影を選択した場合には、前記外部操作部材の操作に応答して先にワンショット撮影を行った回数を表示した表示部以外の残りの表示部を順番に表示して前記連写撮影の時の露光間隔をシミュレーション表示するように前記外部表示部材を制御する制御手段と、
を備えたことを特徴とする連写カメラ。
【発明の詳細な説明】
【０００１】
【産業上の利用分野】
本発明は、１回のレリーズ操作により短い時間間隔で順次に露光を行う連写カメラに関するものである。
【０００２】
【従来技術】
従来、特開平４−２６９７２９号公報に連写カメラが提案されている。この連写カメラは、２枚のシャッタ円板をステッピングモータで同時に回転させ、シャッタ円板にそれぞれ２つずつ設けたスリットが水平に並んだ８個のシャッタ開口を順次に横切って２画面内に８コマの画像を横一列に連続的に露光する。１コマは約１３×８．３ｍｍのサイズとなっており、また、１画面はプリント時に両端が少しカットされるので１３×３６ｍｍのパノラマサイズとなっている。露光済みの写真フイルムからは、プリント作業時に１画面毎に焼付けを行って８９×２５４ｍｍのパノラマプリント写真が作製される。そして、得られた２枚のプリント写真を横に並べて観察することにより、瞬間毎に被写体の動きが止まった写真画像を得ることができるため、種々の運動の分析が容易に行えるようになる。
【０００３】
ところで、上記公報記載の連写カメラでは、スポーツをしている被写体の動きを止めて撮影するために、スリットがシャッタ開口を横切る露光時間を１／２５０sec 以上に設定している。そして、マイコンによってステッピングモータを制御して、露光時間とは異なった露光間隔（インターバル）となるようにシャッタ円板を間欠回転させ、シャッタレリーズから最後の露光が完了するまでのトータルの連写時間を長くしている。さらに、種々のスポーツの動きに合わせるために、露光間隔変更手段によってシャッタレリーズから最終コマの露光が完了するまでのトータルの連写時間を２秒にする低速、１秒にする標準、及び、３秒にする超低速との３種類の連写時間が選択できるように配慮されている。この露光間隔変更は、外部に設けられたスライドレバーを低速、標準、及び超低速の文字が表示された各位置にそれぞれ合わせることにより行える。
【０００４】
【発明が解決しようとする課題】
しかしながら、前述した連写カメラでは、単に低速、標準、及び超低速の文字が表示されているだけなので、撮影者が３種類の連写時間のうちのいずれかを選択操作しても、露光タイミングをつかむことができなかった。このため、被写体の動きをどのくらいの時間で写すのが適当なのか、また、シャッタレリーズのタイミングを何時行うかを見極めて撮影しても、少し慣れなければ各スポーツの動きの中で運動初期から終期までの一連の動作を連写時間内に納めて撮影できなかったり、また、動きの中で重要なポイント、例えばゴルフではスイング中のインパクトの瞬間等の画像が得られない場合があったり、何れの連続写真でも迫力が欠け、写してもらった人にとっては不満が残る結果となってしまう。
【０００５】
本発明は、上述した従来技術のもつ問題点を解決するためになされたものであり、その目的は、連写撮影を行う前に露光タイミングを簡単に把握することできる連写カメラを提供することにある。
【０００６】
【課題を解決するための手段】
本発明の連写カメラでは、露光間隔を知る際に操作される外部操作部材と、撮影者に視覚を通じて表示する外部表示部材と、前記外部操作部材が操作された際に前記露光間隔と同じ間隔で前記外部表示部材を制御する制御手段とを備えたものである。
【０００７】
【作用】
外部操作部材を操作すると、制御手段が露光間隔と同じ間隔で表示するように外部表示部材を制御する。これにより、視覚又は聴覚を通じて露光タイミングのシミュレーションを表示することができる。外部操作部材としては、例えば、専用のスイッチでもよいし、また別の機能を持ったスイッチに兼用してもよい。例えば、シャッタレリーズから最後のコマに露光を行うまでのトータルの連写時間を変更するための連写時間変更部材に兼用した場合には、連写時間変更部材の操作に応答して又は操作後に制御手段が自動的に外部表示部材の表示を開始するように制御してもよい。
【０００８】
外部表示部材としては、液晶表示、ＬＥＤ表示等を用いる。これらに露光タイミングを表示する方法としては、外部表示部材に１画面を複数に分割したコマ数と同じ個数の表示エリアを設け、制御手段が露光間隔と同じ間隔で前記表示エリアを順次に表示させるように外部表示部材を制御するようにすればよい。個々の表示エリアは、例えば液晶表示であればセグメント又はドット単位であり、ＬＥＤ表示の場合にはＬＥＤ１個単位である。表示方法としては、表示エリアを順に表示していく方法や１つの表示エリアを移動させてゆく方法等が好ましい。
【０００９】
連写撮影とワンショット撮影とを択一的に選択して撮影が行える連写カメラの場合には、外部表示部材にワンショット撮影を行った回数の表示を兼用するようにしてもよい。この場合には、ワンショット撮影時には複数の表示部のうちのワンショット撮影を行った回数に応じた数の表示部を表示するよう制御するとともに、１画面を複数に分割した各コマのうちのワンショット撮影後に残る未露光のコマに対して連写撮影を選択した場合には、外部操作部材の操作に応答して先にワンショット撮影を行った回数を表示した表示部以外の残りの表示部を順番に表示して連写撮影の時の露光間隔をシミュレーション表示するように外部表示部材を制御すればよい。
【００１０】
【実施例】
図１に示すように、連写カメラ１１の前面には、上下２段、左右８個計１６個の開口１２ａ〜１２ｐが形成されており、各開口１２ａ〜１２ｐには撮影レンズ１３ａ〜１３ｐがそれぞれ露呈されている。また、ファインダー対物窓１４は、パララックスを少なくするために上段側の開口列１２ｉ〜１２ｐの中央部上方に設けられており、この視野範囲は２画面を上下２段、左右８個計１６個に分割したコマと略同じアスペクト比となっている。
【００１１】
連写カメラ１１の上面には、ワンショット用レリーズボタン１５、連写用レリーズボタン１６、電源スイッチ１７、液晶表示パネル１８、及び、連写時間変更スイッチ１９とがそれぞれ配置されている。ワンショット用レリーズボタン１５と連写用レリーズボタン１６とは、交互に押下操作がし易いように右手人指し指の掛かる部分に併置されている。ワンショット用レリーズボタン１５を操作すると、レリーズ毎の画像をコマ毎に露光するワンショット撮影モードでの撮影が行われる。連写用レリーズボタン１６を操作すると、複数のコマに時系列的な画像を順次に露光する連写撮影モードでの撮影が行われる。
【００１２】
これらのモードでの撮影により、例えば、全部のコマにレリーズ毎の画像を露光する撮影方法やワンショット撮影モードでの撮影を２回行った後に、連写撮影モードでの撮影を行って残りの１４コマに時系列的な画像を順次に露光する撮影方法等が選択できる。なお、実施例の連写カメラでは、最初に連写撮影モードでの撮影を行うと、２画面１６コマの全部に時系列的な画像が自動的に露光される。
【００１３】
連写時間変更スイッチ１９は、連写撮影モードが選択された際に、シャッタレリーズから最終コマの露光が完了するまでのトータルの連写時間を、２秒にした低速、１秒にした標準、及び、０．５秒にした高速との３種類のうちの何れかに設定するためのものであり、押下操作を行う毎に低速、標準、及び高速の順に選択される。なお、符号２０は、裏蓋２１を開くためのレバーであり、写真フイルムを装填するときに操作する。
【００１４】
液晶表示パネル１８には、例えば反射型タイプのＴＮ型液晶表示素子が用いられており、これにはセグメント電極構成によってフイルムカウントを表示するフイルムカウンタ表示部１８ａ、フイルム在中マーク表示部１８ｂ、連写時間選択表示部１８ｃ、及びシミュレーション表示部１８ｄとが設けられている。連写時間選択表示部１８ｃには、「低速」、「標準」、及び「高速」の文字セグメントが表示されるようになっている。シミュレーション表示部１８ｄには、矩形セグメント１８ｅが上下２段、左右８列計１６個表示できるようになっており、連写時間変更スイッチ１９で選択された連写時間に応じた露光間隔と同じ間隔で矩形セグメント１８ｅが１個ずつ表示される。また、シミュレーション表示部１８ｄには、ワンショット撮影モードでの撮影を行った回数が矩形セングメントの数で表示される。
【００１５】
連写カメラ１１のシャッタユニット２２を図３に示す。シャッタユニット２２は、１画面を上下２段、左右４列に分割した８コマに露光を行う８連写用のシャッタ機構２３，２４を横に２つ並置した構成となっており、これらの各部品は、前板２５，仕切り板２６、及びケース２７とで構成された厚みの薄いシャッタボックス内に組み込まれている。
【００１６】
図４に示すように、前板２５には、撮影レンズ１３ａ〜１３ｐの光軸上に１６個の円状の露光用開口２８ａ〜２８ｐが形成されている。これらの開口２８ａ〜２８ｐの前面には、一段凹んだ部分に１６個の撮影レンズ１３ａ〜１３ｐが一つずつ組み込まれる。これらの撮影レンズ１３ａ〜１３ｐは、２つのレンズホルダー２９，３０によって前板２５に固定される。
【００１７】
仕切り板２６には、撮影レンズ１３ａ〜１３ｐの光軸上に１６個の絞り開口３１ａ〜３１ｐが形成されている。これらの絞り開口３１ａ〜３１ｐは、固定絞りとシャッタ開口とを兼用しており、これらの内径はいずれも等しくなっている。絞り開口３１ａ〜３１ｄ，３１ｉ〜３１ｌがシャッタ機構２３側のシャッタ開口であり、また、絞り開口３１ｅ〜３１ｈ，３１ｍ〜３１ｐがシャッタ機構２４側のシャッタ開口となる。
【００１８】
絞り開口３１ａ〜３１ｐの前面には、外径厚みとも同じシャッタ円板３２〜３９が８個回動自在に設けられている。これらのシャッタ円板３２〜３９のうち４個のシャッタ円板３６，３７，３８，３９の軸４０〜４３が上段に配列された８個の絞り開口３１ｉ〜３１ｐの中心を通る水平線よりも上方の位置で、且つ、隣接するペアの絞り開口３１ｉ〜３１ｐから等距離の位置に、また、４個のシャッタ円板３２〜３５の軸４４〜４７が下段に配列された８個の絞り開口３１ａ〜３１ｈの中心を通る水平線よりも下方の位置で、且つ隣接するペアの絞り開口３１ａ〜３１ｈから等距離の位置にそれぞれ決められている。そして、これらのシャッタ円板のうちシャッタ円板３２，３３，３６，３７の４個がシャッタ機構２３側のシャッタ円板であり、またシャッタ円板３４，３５，３８，３９の４個がシャッタ機構２４側のシャッタ円板である。
【００１９】
シャッタ円板３２〜３９には、各軸４０〜４７から絞り開口３１ａ〜３１ｐまでの距離を半径とする円周上に略扇形状の開口（以下、「スリット」と称す。）３２ａ，３３ａ，３４ａ，３５ａ，３６ａ，３７ａ，３８ａ，３９ａがそれぞれ１個ずつ形成されている。これらのスリット３２ａ，３３ａ，３４ａ，３５ａ，３６ａ，３７ａ，３８ａ，３９ａの長さ（シャッタ円板の半径方向の長さ）は、絞り開口３１ａ〜３１ｐの内径以上になっている。また、シャッタ円板３２〜３９の外周には、全周にわたって同じ歯数のギヤ３２ｂ，３３ｂ，３４ｂ，３５ｂ，３６ｂ，３７ｂ，３８ｂ，３９ｂが形成され、上下方向で回転中心を同じにしたギヤ３２ｂとギヤ３６ｂ、ギヤ３３ｂと３７ｂ、ギヤ３４ｂとギヤ３８ｂ、及び、ギヤ３５ｂと３９ｂとがそれぞれ互いに噛合している。
【００２０】
ケース２７の内壁２７ａには、図５に示すように、撮影レンズ１３ａ〜１３ｐの光軸上に１６個の矩形な露光用開口４８ａ〜４８ｐが形成されており、また背面側に固定されるステッピングモータ４９，５０のモータギヤ５１，５２を挿通するための２つの開口５３，５４がそれぞれ形成されている。この内壁２７ａには、回転機構、遮蔽板移動機構、及び初期位置検出機構とが前面から組み込まれる。回転機構は、ステッピングモータ４９，５０の回転をシャッタ円板３２〜３９に伝達するためのギヤ列であり、２個のステッピングモータ４９，５０、モータギヤ５１，５２、及び二段ギヤ５５，５６とから構成されている。このステッピングモータ４９，５０は、２画面１６コマの露光に対して各シャッタ円板３２〜３９をそれぞれ２回転させる。
【００２１】
遮蔽板移動機構は、ステッピングモータ４９，５０の回転を往復スベリ子回転機構を介して切換え遮蔽板５７，５８にそれぞれ伝達し、これらの切換え遮蔽板５７，５８を水平方向にそれぞれ往復動させる機構であり、シャッタ機構２３側の機構がモータギヤ５１、クランクギヤ５９、及び切換え遮蔽板５８とから、また、シャッタ機構２４側の機構はモータギヤ５２、クランクギヤ６０、及び切換え遮蔽板５７とから構成されている。
【００２２】
初期位置検出機構は、シャッタ円板３２〜３９の２回転を検出するための機構であり、シャッタ機構２３側の機構がモータギヤ５１、二段ギヤ６１、ギヤ６３、スリット付きギヤ６５，６６、及びフォトインタラプタ（以下、「ＰＩセンサ」と称す。）６９とから、また、シャッタ機構２４側の機構はモータギヤ５２、二段ギヤ６２、ギヤ６４、スリット付きギヤ６７，６８、及びＰＩセンサ７０とから構成されている。なお、ケース２７には、ファインダー保持枠７１が一体に形成されており、ファインダー保持枠７１には、対物レンズ７２及び接眼レンズ７３とが組み込まれている。
【００２３】
図６は、回転機構、遮蔽板移動機構、及び初期位置検出機構の配列を概略的に示したものである。シャッタ機構２３の回転機構は、図７及び図８に詳しく示すように、モータギヤ５１が二段ギヤ５５の大ギヤ５５ａに噛合し、また二段ギヤ５５の小ギヤ５５ｂがシャッタ円板３６，３７のギヤ３６ｂ，３７ｂとにそれぞれ噛合している。これにより、ステッピングモータ４９の回転によってシャッタ円板３６，３７のスリット３６ａ，３７ａが上段側の４つの絞り開口３１ｉ〜３１ｌを順次に横切り１画面７４のうち上段側の４コマ７４ｅ〜７４ｈにそれぞれ露光を行い、またこれと同時にシャッタ円板３２，３３のスリット３２ａ，３３ａが下段側の４つの絞り開口３１ａ〜３１ｄを順次に横切り１画面７４のうち下段側の４コマ７４ａ〜７４ｄにそれぞれ露光を行う。
【００２４】
他方のシャッタ機構２４の回転機構は、シャッタ機構２３の回転機構を左右対称にした配置となっており、ステッピングモータ５０の回転によってシャッタ円板３８，３９のスリット３８ａ，３９ａが上段側の４つの絞り開口３１ｍ〜３１ｐを順次に横切り、またこれと同時にシャッタ円板３４，３５のスリット３４ａ，３５ａが下段側の４つの絞り開口３１ｅ〜３１ｈを順次に横切り１画面７５を分割した８コマ７５ａ〜７５ｈにそれぞれ露光を行う。
【００２５】
シャッタ機構２３の遮蔽板移動機構は、図８及び図９に示すように、クランクギヤ５９が前記小ギヤ５５ｂに噛合しており、クランクギヤ５９がシャッタ円板３２〜３９の２回転に対して３回転する回転比となっている。このクランクギヤ５９には、円周上に突出ピン５９ａが形成されている。また、シャッタ機構２４側の切換え遮蔽板５８は、左右方向に直線移動自在に設けられており、これには左方向に伸びた腕７６が一体に形成されている。この腕７６の先端側には、垂直方向に伸びた長穴７６ａが形成されており、この長穴７６ａに前記突出ピン５９ａが係合している。したがって、クランクギヤ５９の軸５９ｂから突出ピン５９ａまでのクランク長さの２倍分の長さが切換え遮蔽板５８の移動量となる。
【００２６】
切換え遮蔽板５８には、シャッタ機構２４の下段側の４つの絞り開口列３１ｅ〜３１ｈを同時に露呈させる４つの開口５８ａ〜５８ｄと上段側の４つの絞り開口列３１ｍ〜３１ｐを同時に露呈させる４つの開口５８ｅ〜５８ｈとが水平方向に前記クランク長さの２倍分だけずらして形成されており、クランクギヤ５９の半回転毎で下段側の絞り開口列３１ｅ〜３１ｈと上段側の絞り開口列３１ｍ〜３１ｐとのいずれか一方を択一的に遮蔽する。
【００２７】
シャッタ機構２４の遮蔽板移動機構もシャッタ機構２３の遮蔽板移動機構を左右対称にした配置となっており、切換え遮蔽板５７の腕７７の長穴７７ａにクランクギヤ６０の突出ピン６０ａが係合しており、クランクギヤ６０の半回転毎で切換え遮蔽板５７の下段側の開口列５７ａ〜５７ｄと上段側の開口列５７ｄ〜５７ｈとでシャッタ機構２３の下段側の４つの絞り開口列３１ａ〜３１ｄと上段側の４つの絞り開口列３１ｉ〜３１ｌとのいずれか一方を択一的に遮蔽する。
【００２８】
シャッタ機構２３の初期位置検出機構は、シャッタ円板３２，３３，３６，３７の微小角のズレまで検出するために２枚のスリット付きギヤ６５，６６を異なった回転比にしてこれらの円周上の一か所の位置でスリット６５ａ，６６ａの重なりをＰＩセンサ６９で検出している。一方のスリット付きギヤ６６は、小ギヤ５５ｂから二段ギヤ６１の大ギヤ６１ａ、二段ギヤ６１の小ギヤ６１ｂを介して回転が伝達され、シャッタ円板３２〜３７の２回転に対して１回転する回転比となっている。他方のスリット付きギヤ６５は、シャッタ円板３６からギヤ６３を介して回転が伝達され、シャッタ円板３２〜３７の２回転に対して３回転する回転比となっている。これらのスリット付きギヤ６５，６６は同軸上で回動自在に支持されており、これらの回転は互いに逆回転となっている。
【００２９】
シャッタ機構２４の初期位置検出機構もシャッタ機構２３の初期位置検出機構を左右対称にした配置となっており、シャッタ円板３４，３５，３８，３９の微小角のズレまで検出するために、２枚のスリット付きギヤ６７，６８を３：１の回転比にしてスリット６５ａ，６６ａの重なりをＰＩセンサ６９で検出している。
【００３０】
このようなシャッタユニット２２は、図１０に示すように、連写カメラ１１の内図に形成した暗箱８０の前面に取り付けられる。暗箱８０内は、撮影レンズ１３ａ〜１３ｐの光軸毎に仕切壁で上下２段、左右８列に区切られた１６個の露光枠８１が形成されており、上下２段、左右４列で１画面を構成する。露光枠８１は、例えば約縦１０×横８．３ｍｍのサイズとなっており、プリント時に周りが少しカットされるので１画面は縦２０×横３６ｍｍのサイズとなる。
【００３１】
暗箱８０の左右には、図１１に示すように、パトローネ装填室８４とフイルム巻取り室８５とが配置されている。写真フイルム８６は、フイルム巻取り室８５に設けられたスプール８７が回転することにより巻き上げられ、パトローネ装填室８４に装填されたパトローネ８８から引き出される。スプール８７には、フイルム巻き上げ用のモータ８７ａが内蔵され、フイルム巻き上げ時には内部ギヤを介してスプール８７を回転させ、またフイルム巻戻し時にはギヤ８９、フイルム給送機構９０を介してパトローネ装填室８４の内部に設けられた巻戻し用フォーク９１を逆方向に回転させる。
【００３２】
フイルムパーフォレーション８６ａには、スプロケット９２が係合し、フイルムの給送により回転される。スプロケット９２には、放射状に多数の透孔スリットを設けた透孔スリット板９３が同軸に固定されている。この透孔スリット板９３は、ＰＩセンサ９４で光電検出される。ＰＩセンサ９４は、透孔スリットが通過する毎にパルスを送る。
【００３３】
連写カメラ１１の回路構成を図１２に示す。シャッタユニット２２や写真フイルムの給送等はＣＰＵ１００によって管制されており、これらのシーケンスはプログラムＲＯＭ１０１に書き込まれている。写真フイルムの給送シーケンスは、電源スイッチ１７をＯＮした後に裏蓋２１の開閉信号１０２が得られると、モータドライバ１０３にモータ８７ａの駆動信号を送出する。その後、ＰＩセンサ９４から２画面分に応じた透孔スリットの計数が得られた際にモータ８７ａの駆動を停止させる停止信号をモータドライバ１０３に送出する。
【００３４】
モータドライバ１０４，１０５は、ＣＰＵ１００からの制御信号及びクロックパルスを受けてステッピングモータ４９，５０に駆動パルスをそれぞれ供給する。周知のように、ステッピングモータ４９，５０は供給される駆動パルスの個数に比例して回転を行うから、駆動パルスの個数により回転角を決めることができ、さらに駆動パルスを周波数に変更させてパルス間隔を変更させることにより回転の速さをコントロールすることができる。
【００３５】
モータドライバ１０４，１０５からステッピングモータ４９，５０に供給される駆動パルスの個数は、モータドライバ１０４，１０５に内蔵したカウンタで計数される。そして、ＣＰＵ１００は、カウンタの計数を監視し、その計数値が所定の値に達する毎にモータドライバ１０４，１０５に制御信号を送る。モータドライバ１０４，１０５は、制御信号に応じてステッピングモータ４９，５０に供給する駆動パルスの周波数や極数を変え、ステッピングモータ４９，５０の速さや回転方向を制御する。ワンショット撮影カウンタ９９には、ＣＰＵ１００によってワンショット撮影が行われる毎にカウント値が更新されて書き込まれる。ＣＰＵ１００は、カウンタ９９のカウント値を必要に応じて読み出し、ワンショット撮影を行った後に連写撮影を行った場合の露光間隔を決定する際に用いるとともに、更新されたカウント値を矩形セグメント１８ｅの個数でシミュレーション表示部１８ｄに表示するよう制御する。
【００３６】
ＰＩセンサ６９，７０は、シャッタ円板３２〜３７の２回転を検出すると検出信号をＣＰＵ１００に送る。ＣＰＵ１００は、ＰＩセンサ６９，７０からの検出信号を監視し、検出信号が得られた際にステッピングモータ４９，５０の駆動を停止するように制御する。このとき、モータドライバ１０４，１０５のカウンタをリセットし、その後、フイルム巻き上げ処理を行う。
【００３７】
ＣＰＵ１００には、液晶表示パネル１８をマトリックス方式で駆動するためのドライバが内蔵されており、写真フイルムが装填されるとフイルム在中マーク表示部１８ｂのセグメントを表示させるように制御させる。また、連写時間変更スイッチ１９の操作が行われる毎に連写時間選択表示部１８ｃの文字セグメントを順番に表示する。図１３に示すように、ＣＰＵ１００は、電源スイッチ１７がＯＮされると、連写時間を標準に選択して連写時間選択表示部１８ｃに「標準」の文字セグメントを表示するよう制御するとともに、電源スイッチ１７がＯＮしてから一定時間経過後に標準の露光間隔と同じ間隔でシミュレーション表示部１８ｄに矩形セグメント１８ｅを順次に駆動させるように制御する。さらに、連写時間変更スイッチ１９で選択操作されてから次の選択操作が行われるまでの時間を監視しており、一定時間経過後に次の操作が行われない場合には、前回に選択された連写時間の露光間隔と同じ間隔でシミュレーション表示部１８ｄに矩形セグメント１８ｅを順次に駆動させるように制御する。
【００３８】
撮影シーケンスは、図１４に示すように、連写撮影モードとワンショット撮影モードとで異なる。最初に連写撮影モードが選択された場合には、２画面１６コマに時系列的な画像を露光するために、ステッピングモータ４９，５０をシャッタ円板３２〜３９の１回転毎で交互に駆動させる。すなわち、最初にステッピングモータ４９だけを駆動させ、カウンタの計数がシャッタ円板３２，３３，３６，３７の１回転分に達した時点でステッピングモータ４９の駆動を停止する。この間に切換え遮蔽板５７の作用によって４コマ７４ａ〜７４ｄだけに露光が順次に行われる。
【００３９】
次に前記停止と略同時にステッピングモータ５０を駆動させ、カウンタの計数がシャッタ円板３４，３５，３８，３９の１回転分に達した時点でステッピングモータ５０の駆動を停止する。この間に切換え遮蔽板５８の作用によって４コマ７５ａ〜７５ｄに露光が順次に行われる。さらに前記停止と略同時にステッピングモータ４９だけを駆動させ、ＰＩセンサ６９から検出信号が得られた時点でステッピングモータ４９の駆動を停止する。この間に切換え遮蔽板５７の作用によって４コマ７４ｅ〜７４ｈに露光が行われる。最後に前記停止と略同時にステッピングモータ５０を駆動させ、ＰＩセンサ７０から検出信号が得られた時点でステッピングモータ５０の駆動を停止する。この間に切換え遮蔽板５８の作用によって４コマ７５ｅ〜７５ｈに露光が順次に行われる。
【００４０】
ステッピングモータ４９，５０の駆動は、各露光時間が、例えば１／２５０秒となるように、露光の瞬間だけ高速に回転させるようにパルス間隔が段階的に制御されている。すなわち、各スリット３２ａ〜３９ａが各絞り開口３１ａ〜３１ｐを横切る際のシャッタ円板３２〜３９の回転位置が分かっているから、各露光時の直前には、モータドライバ１０４，１０５が徐々に周波数が高くなる駆動パルス、すなわち、図１５に示すようにパルス間隔がＴ１、Ｔ２、Ｔ３と徐々に短くなる駆動パルスをステッピングモータ４９，５０に送り、ステッピングモータ４９，５０の回転を増速させ、また、露光直後はパルス間隔がＴ３、Ｔ２、Ｔ１と徐々に長くなる駆動パルスをステッピングモータ４９，５０に送り、ステッピングモータ４９，５０の回転を減速させる。そして、各露光間隔は、パルス間隔が比較的長い駆動パルスを与えて露光時間より長くしている。
【００４１】
露光間隔は、表１に示すように、連写時間によって個なり、また、各連写時間に対してコマ間毎で異なる。そして、例えば、連写時間が低速に設定されている場合には、図１６に示すように、シャッタ円板３２〜３９が回転して１６コマに時系列的な画像を露光する。
【００４２】
【表１】
0003566985.tif 000002
【００４３】
１６コマを全部ワンショット撮影モードで撮影する場合には、レリーズ毎にステッピングモータ４９を所定角度だけ駆動させてゆき、１コマ目から４コマ目までの露光を行う。次に５コマ目から８コマ目までの露光は、レリーズ毎にステッピングモータ５０を所定角度ずつ駆動させて行う。また、９コマ目から１２コマ目までの露光は、ステッピングモータ４９を所定角度ずつ駆動させ、さらに、１３コマ目から１６コマ目までの露光は、ステッピングモータ５０を所定角度ずつ駆動させることによって行う。なお、このモードの際にも、各露光時間が、例えば１／２５０秒となるように、パルス間隔が段階的に設定されている。また、ステッピングモータ４９，５０の所定角度毎の停止は、各レリーズ毎のタイムラグを一定とするために、次の絞り開口とスリットとの角度が一定となる位置でシャッタ円板３２〜３７が停止するように制御される。
【００４４】
ワンショット撮影モードの次に連写撮影モードを選択した場合には、ワンショット撮影カウンタ９９のカウント値を読み出して、残りのコマ数に対しての露光間隔を決定する。この露光間隔は、前記表１に示したコマ間毎に定められた露光間隔と同じとなるように決められている。例えば、連写時間が低速に設定されている場合には、表２に示すようになる。
【００４５】
【表２】
0003566985.tif 000003
【００４６】
なお、ワンショット撮影モードの次に連写撮影モードを選択した場合には、残りのコマ数に対して均等となるように露光間隔を設定してもよい。この場合には、以下の式によって露光間隔を決定する。
【００４７】
【数１】
0003566985.tif 000004
【００４８】
この場合には、例えば、連写時間が低速に選択されていると、コマ間毎の露光間隔が表３に示すようになる。
【００４９】
【表３】
0003566985.tif 000005
【００５０】
次に上記構成を備えた連写カメラの作用について説明する。シャッタユニット２２の初期状態は、図１７に示すように、シャッタ円板３２，３６，３４，３８のスリット３２ａ，３６ａ，３４ａ，３８ａが各軸４４，４０，４６，４２の中心を通る水平線上の左側に位置しており、また、シャッタ円板３３，３７，３５，３９のスリット３３ａ，３７ａ，３５ａ，３９ａが円周方向に１８０°ずれた位置の状態となっており、各絞り開口３１ａ〜３１ｐがシャッタ円板３２〜３９で遮蔽された状態となっている。また、シャッタ機構２３のスリット付きギヤ６５，６６とシャッタ機構２４のスリット付きギヤ６７，６８は、スリット６５ａ，６６ａ，６７ａ，６８ａが回転軸を通る垂直線の上方の位置で重なった状態で停止している。
【００５１】
切換え遮蔽板５７の初期状態は、図９に示すように、開口５７ａ〜５７ｄが絞り開口３１ａ〜３１ｄを露呈し、開口５１ｅ〜５１ｈが絞り開口３１ｉ〜３１ｌを遮蔽している。また、切換え遮蔽板５８の初期状態は、開口５８ａ〜５８ｄが絞り開口３１ｅ〜３１ｈを遮蔽し、開口５８ｅ〜５８ｄが絞り開口３１ｍ〜３１ｐを露呈している。
【００５２】
電源スイッチ１７をＯＮすると、連写時間が標準に選択され、液晶表示パネル１８の連写時間選択表示部１８ｃに「標準」の文字セグメントが表示される。その後、一定時間経過後に液晶表示パネル１８のシミュレーション表示部１８ｄに矩形セグメント１８ｅが標準の露光間隔毎に一つずつ表示される。
【００５３】
この表示の方法を詳しく説明する。図１８に示すように、ＣＰＵ１００が連写時間を標準に選択してから０．１秒後に上下２段、左右８列の矩形セグメント１８ｅのうち上段左側の矩形セグメント１８ｅを表示する。その０．０５秒後に上段左から２列目の矩形セグメント１８ｅを表示する。以下、０．０５秒毎に上段左から３列目、４列目と順に矩形なセグメントを順に表示してゆき、０．５５秒後には下段左側の矩形セグメント１８ｅを、そして、１秒後には下段右側の矩形セグメント１８ｅが表示され、これにより１６個の矩形セグメント１８ｅが全部表示されることになる。
【００５４】
撮影者は、このシミュレーション表示を見て連写撮影を行う前に標準での露光タイミングを簡単に把握することができる。そして、このシミュレーション表示は、１６個の矩形セグメント１８ｅが全部表示されてから一定時間経過後に消灯する。
【００５５】
撮影者は、スポーツをしている被写体の一連の動きを見て、被写体の動きをどのくらいの時間で写すのが適当なのか、また、シャッタレリーズのタイミングを何時行うかを見極める。そして、標準での露光タイミングでは適当ではない場合には、連写時間変更スイッチ１９を操作する。連写時間変更スイッチ１９は、押下操作を行う毎に連写時間選択表示部１８ｃに標準→高速→低速→標準の順に文字セグメントが表示されるから、この表示を確認しながら連写時間変更スイッチ１９を押下操作し、意図する連写時間に合わせる。
【００５６】
例えば、低速に合わせた場合には、ＣＰＵ１００が連写時間を低速に選択してから０．２秒後に上段左の矩形セグメント１８ｅを表示させ、その後は同図に示すように、低速の露光間隔と同じ間隔で矩形セグメント１８ｅを表示する。このシュミレーション表示は、１６個の矩形セグメント１８ｅを表示してから一定時間後に消灯するから、何回も露光タイミングを確認する際には、連写時間変更スイッチ１９を操作して再度低速に合わせることにより表示されるから、初心者であっても繰り返し確認することができる。
【００５７】
撮影は、図１９に示すように、被写体がテイクバックを行うと同時に連写用レリーズボタン１６を操作する。これにより、ステッピングモータ４９が駆動を開始し、図２０に示すように、モータギヤ５１が反時計方向に回転し、二段ギヤ５５を介してシャッタ円板３２，３３が時計方向に、またシャッタ円板３４，３５が反時計方向にそれぞれ同時に回転する。このときの回転は、露光時間とは異なった露光間隔となるようにステッピングモータ４９の駆動が制御される。そして、切換え遮蔽板５７の開口５７ａ〜５７ｄが絞り開口３１ａ〜３１ｄを露呈しているから、レリーズしてから２００ｍｓ後にシャッタ円板３２のスリット３２ａが絞り開口３１ａを横切り、コマ７４ａに１回目の露光が行われる。
【００５８】
このとき、切換え遮蔽板５７の開口５１ｅ〜５１ｈが絞り開口３１ｉ〜３１ｌを遮蔽しているから、これらの絞り開口３１ｉ〜３１ｌで露光が行われることはない。また、図２１に示すように、クランクギヤ５９が反時計方向に回転してるため、切換え遮蔽板５８が左方向に移動して開口５８ａ〜５８ｄで僅かに絞り開口３１ｅ〜３１ｈを露呈するが、シャッタ機構２４側のステピングモータ５０が駆動していないので、絞り開口３１ｅ〜３１ｈ、及び絞り開口３１ｍ〜３１ｐで露光が行われることはない。さらにこのとき、スリット付きギヤ６６は、シャッタ円板３２，３３，３６，３７の回転した角度に対して半角度の位置まで回転した状態となっており、さらに、スリット付きギヤ６５はシャッタ円板３２，３３，３６，３７の回転した角度に対して１．５倍の角度の位置まで回転した状態となっている。
【００５９】
１回目の露光が行われてから１００ｍｓ後にスリット３２ａが絞り開口３１ｂを横切りコマ７４ｂに２回目の露光を、またこれから１００ｍｓ後にシャッタ円板３３のスリット３３ａが絞り開口３１ｃを横切りコマ７４ｃに３回目の露光を、さらに、これから１００ｍｓ後にスリット３３ａが絞り開口３１ｄを横切りコマ７４ｄに４回目の露光を行う。
【００６０】
その後、カウンタの計数がシャッタ円板３２，３３，３６，３７の１回転分に達した時点で、図２２に示すようにステッピングモータ４９の駆動が停止される。このとき、スリット付きギヤ６６は、初期位置から半回転した状態となっており、また、スリット付きギヤ６５は初期位置から１．５回転した状態となっている。さらに、図２３に示すように、クランクギヤ５９が初期位置から１．５回転しているため、切換え遮蔽板５８の開口５８ａ〜５８ｄが絞り開口３１ｅ〜３１ｈを完全に露呈し、開口５８ｅ〜５８ｈが絞り開口３１ｍ〜３１ｐを完全に遮蔽した状態となっている。
【００６１】
図２４に示すように、ステッピングモータ４９の停止と略同時にステッピングモータ５０を駆動させる。モータギヤ５２が反時計方向に回転し、二段ギヤ５６を介してシャッタ円板３４，３５が時計方向に、またシャッタ円板３８，３９が反時計方向にそれぞれ同時に回転する。このときの回転も、露光時間とは異なった露光間隔となるようにステッピングモータ５０の駆動が制御される。そして、切換え遮蔽板５８の開口５８ａ〜５８ｄが絞り開口３１ｅ〜３１ｈを露呈しているから、４回目の露光から１００ｍｓ後にシャッタ円板３４のスリット３４ａが絞り開口３１ｅを横切り、コマ７５ａに５回目の露光が行われる。
【００６２】
５回目の露光が行われてから１００ｍｓ後にスリット３４ａが絞り開口３１ｆを横切りコマ７４ｂに６回目の露光を、またこれから１００ｍｓ後にシャッタ円板３３のスリット３３ａが絞り開口３１ｃを横切りコマ７４ｃに７回目の露光を、さらに、これから１００ｍｓ後にスリット３３ａが絞り開口３１ｄを横切りコマ７４ｄに８回目の露光を行う。
【００６３】
その後、カウンタの計数がシャッタ円板３４，３５，３８，３９の１回転分に達した時点で、図２５に示すように、ステッピングモータ５０の駆動が停止される。このとき、スリット付きギヤ６６は、初期位置から半回転した状態となっており、また、スリット付きギヤ６５は初期位置から１．５回転した状態となっている。さらに、図２６に示すように、クランクギヤ６０が初期位置から１．５回転しているため、切換え遮蔽板５７の開口５７ｅ〜５７ｈが絞り開口３１ｉ〜３１ｌを完全に露呈し、開口５７ａ〜５７ｄが絞り開口３１ａ〜３１ｄを完全に遮蔽した状態となっている。
【００６４】
ステッピングモータ５０の停止と略同時にステッピングモータ４９の駆動が開始される。これにより８回目の露光から１００ｍｓ後にシャッタ円板３６のスリット３６ａが絞り開口３１ｉを横切り、切換え遮蔽板５７の開口５７ｅ〜５７ｈが絞り開口３１ｉ〜３１ｌを露呈しているから、コマ７４ｅに９回目の露光が行われる。
【００６５】
９回目の露光が行われてから１００ｍｓ後にスリット３６ａが絞り開口３１ｊを横切りコマ７４ｆに１０回目の露光を、またこれから１００ｍｓ後にシャッタ円板３７のスリット３７ａが絞り開口３１ｋを横切りコマ７４ｇに１１回目の露光を、さらにこれから１００ｍｓ後にスリット３７ａが絞り開口３１ｌを横切りコマ７４ｈに１２回目の露光を行う。その後、シャッタ円板３２，３３，３６，３７が２回転に達した時点で、スリット付きギヤ６５が３回転、且つスリット付けギヤ６６が１回転しているため、互いのスリット６５ａ，６６ａが丁度初期位置で重なり、ＰＩセンサ６９から検出信号が得られる。これにより、ステッピングモータ４９の駆動が停止される。
【００６６】
このとき、クランクギヤ５９が初期位置から３回転しているため、切換え遮蔽板５８の開口５８ｅ〜５８ｈが絞り開口３１ｍ〜３１ｐを完全に露呈し、開口５８ａ〜５８ｄが絞り開口３１ｅ〜３１ｈを完全に遮蔽した状態となっている。
【００６７】
ステッピングモータ４９の停止と略同時にステッピングモータ５０を駆動させ、切換え遮蔽板５８の開口５８ｅ〜５８ｈが絞り開口３１ｍ〜３１ｐを露呈しているから、１２回目の露光から１００ｍｓ後にシャッタ円板３８のスリット３８ａが絞り開口３１ｍを横切り、コマ７５ｅに１３回目の露光が行われる。
【００６８】
そして、１３回目の露光が行われてから１００ｍｓ後にスリット３８ａが絞り開口３１ｎを横切りコマ７５ｆに１４回目の露光を、またこれから２００ｍｓ後にシャッタ円板３９のスリット３９ａが絞り開口３１ｏを横切りコマ７４ｇに１５回目の露光を、さらにこれから３００ｍｓ後にスリット３９ａが絞り開口３１ｐを横切りコマ７４ｈに１６回目の露光を行う。その後、シャッタ円板３４，３５，３８，３９が２回転に達した時点で、スリット付きギヤ６８が３回転、且つスリット付けギヤ６７が１回転しているため、互いのスリット６７ａ，６８ａが丁度初期位置で重なり、ＰＩセンサ７０から検出信号が得られる。これにより、ステッピングモータ５０の駆動が停止され、また、クランクギヤ６０が初期位置から３回転しているため、切換え遮蔽板５７の開口５７ａ〜５７ｄが絞り開口３１ａ〜３１ｄを完全に露呈した状態となっており、シャッタユニット２２の初期状態に戻る。
【００６９】
ＣＰＵ１００は、ＰＩセンサ６９、７０からそれぞれ検出信号が得られると、フイルム給送用のモータ８７ａを駆動させて写真フイルム８６を巻き上げ、ＰＩセンサ９４から得られるスリットの通過個数をカウントし、２画面分のカウント値に達した時点で、モータ８７ａの駆動を停止する。これにより、新たな２画面が各露光枠８１にセットされる。
【００７０】
次に、ワンショット撮影モードについて説明する。ワンショット撮影モードでの撮影は、ワンショット用レリーズボタン１５を操作することで行われる。このモードは、コマに露光する順番を連写撮影モード時と同じにしてコマ毎にレリーズ時の画像を露光する。したがって、ステッピングモータ４９，５０を所定角度毎に駆動させてレリーズ毎の画像を１コマずつ露光していくため、例えば、ゴルフスイングのうち撮影者の意図するタイミングで撮影する際には好適である。
【００７１】
例えば、ワンショット撮影モードで１６コマを撮影する場合には、先ず、１回目のレリーズでステッピングモータ４９を所定角度だけ駆動させる。これにより、スリット３２ａが絞り開口３１ａを横切って画面７４のコマ７４ａに露光が行われる。このときのステッピングモータ４９の停止制御は、図２７に示すように、初期状態から絞り開口３１ａまでの角度θと同じ角度となるように、絞り開口３１ｂから角度θの分だけ手前の位置でシャッタ円板３２が停止するように制御する。このように各露光後のシャッタ円板３２〜３９の停止位置を一定にすることによりタイムラグも一定となる。
【００７２】
その後、４回目までのレリーズではステッピングモータ４９を、また５〜８回目までのレリーズではステッピングモータ５０を、９〜１２回目までのレリーズではステッピングモータ４９を、そして１３〜１６回目までのレリーズではステッピングモータ５０を所定角度ずつ駆動してレリーズ毎の画像を各コマ７４ｂ〜７４ｈ，７５ａ〜７５ｈにそれぞれ露光する。
【００７３】
次に、ワンショット撮影を行った後に連写撮影を行う場合について説明する。図１９には、ワンショット撮影で最初の２コマに撮影を行った後、残りの１４コマに連写撮影を行ったケースを示している。ワンショット撮影を行った場合には、この回数が液晶表示パネル１８のシミュレーション表示部１８ｄに表示されている。この表示は、ワンショット撮影が２回行われているから、上段左から２個の矩形セグメント１８ｅが表示された状態となっている。
【００７４】
この時点で連写撮影が行われると、ＣＰＵ１００がワンショットカウンタ９９のカウント値から残りのコマに対する露光間隔を一義的に決定するため、撮影者は、その後の連写撮影を行う場合の露光タイミングがつかめなくなるケースがある。そこで、本実施例では、その後の連写撮影を行う際の露光タイミングをシミュレーション表示させることも可能としている。すなわち、ワンショット撮影を２回した後に連写時間変更スイッチ１９を操作して意図する連写時間に合わせると、これから一定時間経過後にシミュレーション表示部１８ｄに表示されたワンショット撮影回数を示す矩形セグメント１８ｅ以外の矩形セグメント１８ｅを表示させてシュミレーション表示を行う。
【００７５】
例えば、ワンショット撮影を２回行っているからシュミレーション表示部１８ｄには上段左とその右隣との２個の矩形セグメント１８ｅが表示されている。そしてシュミレーション表示は、図２８に示すように、上段左から３番目の矩形セグメント１８ｅが表示され、その後は表２に示したように残りコマ数が１４の場合の露光間隔と同じ間隔で矩形セグメント１８ｅが順に表示される。
【００７６】
このシュミレーション表示を確認した後に撮影者は、連写用レリーズボンタ１６を操作すると、例えば、連写時間が低速に選択されている場合には、図２９に示すように、シャッタ円板が回転して残りの１４コマに露光が行われる。
【００７７】
このように撮影を行ってゆき、２画面分のフイルム巻き上げを行う際にモータ８７ａに負荷がかかった場合には、これを検知してモータ８７ａを制御して写真フイルム８６を全部巻き戻し、露光済みの写真フイルム８６をパトローネ８８に収納する。裏蓋２１を開けてパトローネ８８を取り出し、これを現像所に提出する。現像所では、従来どおりの処理を行い、現像済みの写真フイルム８６から１画面毎に焼付けを行って８９×１５８ｍｍのハイビジョン比率のプリント写真を作製する。そして、得られた２枚のプリント写真を横に並べることにより、瞬間毎に被写体の動きが止まった１６コマの静止画像を観察することができる。
【００７８】
以上、説明した実施例では、連写時間変更スイッチ１９を操作して連写時間を選択すれば自動的にシュミレーション表示を行うようにしているが、本発明ではこれに限らず、連写時間変更スイッチ１９とは別にシュミレーション表示ボタンを設け、このシュミレーション表示ボタンを操作することによりシュミレーション表示を行うようにしてもよい。この場合には、操作し易くするために押しボタン式の連写時間変更スイッチ１９の代わりにダイヤル式の連写時間変更スイッチ１９にしてもよい。
【００７９】
また、本実施例では、液晶表示パネル１８に矩形なセグメントを順次に追加表示させてシュミレーション表示を行うようにしているが、この方法の代わりとしては、図３０に示すように、１個の矩形セグメント１８ｅを順次に移動させて行うようにしてもよい。また、１個のセグメントを露光間隔と同じ間隔で点滅表示させてシュミレーション表示を行うことも可能であり、この場合にはセグメント電極を少なくすることができるから液晶表示パネルのコストダウンが図れる。
【００８０】
さらに、液晶表示パネル１８にシュミレーション表示を行う他の例としては、円を１６分割した複数の扇形セグメントを順次に表示させるようにしてもよい。また、本実施例では、シュミレーション表示を非発光素子である液晶によって表示させているが、本発明ではこれに限らず、固体発光素子、例えばＬＥＤ、ＥＬ等を用いて表示させるようにしてもよい。
【００８１】
上記実施例では、シュミレーション表示を視覚を通じて撮影者に表示させているが、聴覚を通じて表示させることも可能である。この場合には、ブザーを設け、ブザー音を露光間隔と同じ間隔で発生させるようにしてもよい。また、視覚を通じた表示（例えば、液晶表示やＬＥＤ表示）とともにブザー音を鳴らすようにするのも効果的であり、さらに、このブザー音を鳴らすタイプの場合には、露光が行われることのないシュミレーションモード切換えボタンを設け、このシュミレーションモード時に連写用レリーズボタン１６をレリーズすることで露光間隔と同じ間隔でブザー音を鳴らすようにすると、ファインダーを覗いたままレリーズタイミングの練習が行える。
【００８２】
上記実施例の連写カメラでは、最初に連写撮影モードを選択すると２画面１６コマの全部に時系列的な画像が自動的に露光されるため、２画面１６コマのうちの複数コマ対して連写撮影を行った後に残りコマに対してワンショット撮影を行うことができないようになっているが、連写コマ数を設定する外部設定部材を設けることにより、２画面１６コマのうちの複数コマ対して連写撮影を行った後に残りコマに対してワンショット撮影を行うことも可能となる。この場合でもコマを指定した後の連写撮影時の露光タイミングも容易に表示することができることはいうまでもない。
【００８３】
また、上記実施例では、８枚のシャッタ円板を２つのステッピングモータで交互に回転させ、シャッタ円板にそれぞれ１つずつ設けたスリットで１６個のシャッタ開口をそれぞれ横切って２つの画面に１６コマの画像を露光するタイプの連写カメラに、ワンショット撮影モードを具備しているが、本発明ではこれに限らず、ワンショット撮影モードを具備可能な連写カメラとしては、例えば特開平４−２６９７２９号公報に提案されているように、２枚のシャッタ円板をステッピングモータで回転させ、シャッタ円板にそれぞれ２つずつ設けたスリットで水平に並んだ８個のシャッタ開口を順次に横切らせて２つの画面に８コマの画像を露光するタイプや、特回平２−１０５１２３２号公報に提案されているように、１枚のシャッタ円板をステッピングモータで回転させ、シャッタ円板に設けた１つのスリットで上下左右２列ずつに配置された４個のシャッタ開口をそれぞれ横切って１画面に４コマの画像を露光するタイプでもよい。
【００８４】
【発明の効果】
以上説明したように、本発明では、撮影者に視覚又は聴覚を通じて露光間隔を表示する外部表示部材を設けたから、連写撮影を行う前に露光タイミングを簡単に把握することでき、初心者であっても各スポーツの動きの中で運動初期から終期までの一連の動作を連写時間内に納めて撮影でき、失敗撮影の防止を図ることができる。
【００８５】
請求項２記載の発明では、別の機能を持ったスイッチに外部操作部材を兼用したから、例えば、専用の外部操作部材を設けたのと比較してコストダウンが図れる。請求項４記載の発明では、連写撮影とワンショット撮影とを択一的に選択して撮影が行える連写カメラの場合に、外部表示部材にワンショット撮影を行った回数の表示を兼用するようにしたから、例えば、専用のワンショット撮影を行った回数を表示する表示部材を設けたのと比較してコストダウンが図れる。
【図面の簡単な説明】
【図１】連写カメラの外観を示す斜視図である。
【図２】液晶表示パネルの全表示状態を示す平面図である。
【図３】シャッタユニットの分解斜視図である。
【図４】撮影レンズ及びシャッタ円板等の要部を示す分解斜視図である。
【図５】切換え遮蔽板及びステッピングモータ等の要部を示す分解斜視図である。
【図６】シャッタユニットの概略を示す説明図である。
【図７】シャッタ円板を駆動させる回転機構の概略を示す作用説明図である。
【図８】シャッタ機構の要部を示す斜視図である。
【図９】遮蔽板切換え機構の概略を示す作用説明図である。
【図１０】連写カメラの縦断面図である。
【図１１】連写カメラのフイルム巻上げ機構を示す概略説明図である。
【図１２】連写カメラの電機的構成の概略を示すブロック図である。
【図１３】シミュレーション表示プログラムの概略を示すフローチャート図である。
【図１４】連写カメラのシーケンスプログラムの概略を示すフローチャート図である。
【図１５】ステッピングモータに供給する駆動パルスのパルス間隔に対して露光時におけるシャッタ円板の回転の様子を示したタイミングチャート図である。
【図１６】連写時間を低速にして１６コマを連写撮影した際のシャッタ円板の回転の様子を示したタイミングチャート図である。
【図１７】回転機構及び初期位置検出機構の初期状態を示した作用説明図である。
【図１８】各連写時間の露光間隔に対してのシミュレーション表示を示す説明である。
【図１９】ゴルフスイングと露光間隔との関係を各撮影モード毎に示したタイミングチャート図である。
【図２０】１コマ目に露光を行った状態を示したシャッタユニットの作用説明図である。
【図２１】１コマ目に露光を行った際の遮蔽板切換え機構の作用説明図である。
【図２２】４コマ目の露光を行った状態を示したシャッタユニットの作用説明図である。
【図２３】４コマ目の露光を行った際の遮蔽板切換え機構の作用説明図である。
【図２４】５コマ目の露光を行った際のシャッタユニットの作用説明図である。
【図２５】８コマ目の露光を行った際のシャッタユニットの作用説明図である。
【図２６】８コマ目の露光を行った際の遮蔽板切換え機構の作用説明図である。
【図２７】ワンショット撮影時におけるシャッタ円板の停止位置を示した説明図である。
【図２８】ワンショット撮影を２回行った後のシミュレーション表示を示す説明図である。
【図２９】ワンショット撮影を２回行った後に、連写時間を低速にして残りの１４コマに連写撮影を行った場合のシャッタ円板の回転の様子を示したタイミングチャート図である。
【図３０】他の実施例のシミュレーション表示を示す説明図である。
【符号の説明】
１１  連写カメラ
１５  ワンショット用レリーズボタン
１６  連写用レリーズボタン
１８  液晶表示パネル
１８ｃ  連写時間選択表示部
１８ｄ  シミュレーション表示部
１９  連写時間変更スイッチ
２２  シャッタユニット
２３，２４  シャッタ機構
１３  撮影レンズ
３２〜３９  シャッタ円板
３１  絞り開口
４９，５０  ステッピングモータ
５７，５８  切換え遮蔽板
５９，６０  クランクギヤ
６５〜６８  スリット付きギヤ
６９，７０  ＰＩセンサ
７４，７５  画面
７４ａ〜７４ｈ，７５ａ〜７５ｈ  コマ
【図１】
0003566985.tif 000006
【図２】
0003566985.tif 000007
【図３】
0003566985.tif 000008
【図４】
0003566985.tif 000009
【図５】
0003566985.tif 000010
【図６】
0003566985.tif 000011
【図７】
0003566985.tif 000012
【図８】
0003566985.tif 000013
【図９】
0003566985.tif 000014
【図１０】
0003566985.tif 000015
【図１１】
0003566985.tif 000016
【図１２】
0003566985.tif 000017
【図１３】
0003566985.tif 000018
【図１４】
0003566985.tif 000019
【図１５】
0003566985.tif 000020
【図１６】
0003566985.tif 000021
【図１７】
0003566985.tif 000022
【図１８】
0003566985.tif 000023
【図１９】
0003566985.tif 000024
【図２０】
0003566985.tif 000025
【図２１】
0003566985.tif 000026
【図２２】
0003566985.tif 000027
【図２３】
0003566985.tif 000028
【図２４】
0003566985.tif 000029
【図２５】
0003566985.tif 000030
【図２６】
0003566985.tif 000031
【図２７】
0003566985.tif 000032
【図２８】
0003566985.tif 000033
【図２９】
0003566985.tif 000034
【図３０】
0003566985.tif 000035